(57)【要約】【課題】布状あるいは網状の支持体に体を預ける際にも安定して体の姿勢を保つことができるようにする。【解決手段】椅子のフレーム３間に張られた布状あるいは網状の支持体２の表面に配置され、着座者を支えて支持体２の撓みを抑える板状体４と、板状体４の裏面の一部に取り外し可能に取り付けられて支持体２からの距離を部分的に変える調節パッド５を備え、板状体４への調節パッド５の着脱により板状体４の傾斜を調整するように構成した。【選択図】図１
2006095168.tif 000002
【特許請求の範囲】
【請求項１】
椅子のフレーム間に張られた布状あるいは網状の支持体の表面に配置され、着座者を支えて前記支持体の撓みを抑える板状体と、前記板状体の裏面の一部に取り外し可能に取り付けられて前記支持体からの距離を部分的に変える調節パッドを備え、前記板状体への前記調節パッドの着脱により前記板状体の傾斜を調整することを特徴とする椅子用姿勢保持板。
【請求項２】
前記板状体は複数に分割されており、各板状体は連結手段によって揺動可能に連結されていることを特徴とする請求項１記載の椅子用姿勢保持板。
【請求項３】
前記板状体には複数のパッド取付部が設けられており、前記調節パッドを別のパッド取付部に付け替えることを特徴とする請求項１又は２記載の椅子用姿勢保持板。
【請求項４】
前記板状体には複数のパッド取付部が設けられており、前記板状体に複数の前記調節パッドを取り付けることを特徴とする請求項１から３のいずれか１つに記載の椅子用姿勢保持板。
【請求項５】
前記調節パッドの裏面に別の前記調節パッドを取り外し可能に取り付けることを特徴とする請求項１から４のいずれか１つに記載の椅子用姿勢保持板。
【発明の詳細な説明】
【技術分野】
【０００１】
本発明は、椅子用姿勢保持板に関する。さらに詳しくは、本発明は、例えば折り畳み式車椅子や折り畳み式の椅子等で採用されている布状あるいは網状の座や背もたれ等の支持体に装着され、着座者の体重で支持体が撓むのを抑える椅子用姿勢保持板に関するものである。
【背景技術】
【０００２】
車椅子の利用者の中には自分の力だけでは座った姿勢を保てない者もいる。このため、従来、座布団を使用して着座者の姿勢を保持することが知られている（特開２００３−７０８４４号）。図２１に車椅子用の座布団を示す。この座布団１０１は主クッション１０２の上面前方に副クッション１０３を取り付けると共に、これらを袋カバー１０４内に一緒に組み込んだもので、着座者の大腿部に当たる部分に膨出部１０５を形成することができるので、着座者が前屈みの姿勢になったり寝たような姿勢になるのを防止することができる。副クッション１０３は主クッション１０２に対して取り外し自在に取り付けられており、洗濯を容易にしている。
【０００３】
ところで、電車や自動車等での移動に便利な車椅子として、折り畳み式の車椅子がある（例えば、特開２００３−６２０１５号）。図２２に折り畳み式車椅子１０６を示す。この車椅子１０６は左右のベースフレーム１０７，１０７間にクロスリンク１０８を設けており、クロスリンク１０８の左右の上端に固定された座シート支持部材１０９，１０９間に張った布状の座シート１１０を折り曲げながら、折り畳み可能となっている。
【０００４】
【特許文献１】特開２００３−７０８４４号
【特許文献２】特開２００３−６２０１５号
【発明の開示】
【発明が解決しようとする課題】
【０００５】
しかしながら、上述の折り畳み式の車椅子１０６では、着座者が布状の座シート１１０に座ることになるので、その体重で座シート１１０が撓んでしまい、体が不安定となって自力で座った姿勢を保てない者の使用に適していなかった。
【０００６】
ここで、上述の座布団１０１を使用して体を安定させることが考えられる。しかしながら、座布団１０１は軟らかく体重を受けて支える構造体ではないので、座シート１１０の撓みに沿って座布団１０１も撓んでしまう。このため、座布団１０１は折り畳み式車椅子１０６への使用には適していなかった。そして、このことは折り畳み式の車椅子１０６に限るものではなく、例えば折り畳み式の椅子等の布状または網状の座シートに腰掛けるタイプの椅子でも同様である。
【０００７】
本発明は、布状あるいは網状の支持体に体を預ける際にも安定して体の姿勢を保つことができる椅子用姿勢保持板を提供することを目的とする。
【課題を解決するための手段】
【０００８】
かかる目的を達成するために、請求項記載の椅子用姿勢保持板は、椅子のフレーム間に張られた布状あるいは網状の支持体の表面に配置され、着座者を支えて支持体の撓みを抑える板状体と、板状体の裏面の一部に取り外し可能に取り付けられて支持体からの距離を部分的に変える調節パッドを備え、板状体への調節パッドの着脱により板状体の傾斜を調整するものである。
【０００９】
したがって、着座者は支持体に直接的に腰掛けたり寄り掛かったりするのではなく、板状体に腰掛けたり寄り掛かったりするので、着座者の体重を板状体で受けることができる。調節パッドを板状体の裏面に部分的に取り付けると、その部分の板状体と支持体との間距離が広がり、板状体が全体として傾斜する。このため、調節パッドの着脱によって板状体の傾斜を調整することができる。調節パッドは板状体に対して繰り返しの着脱が可能である。例えば、椅子の座に適用した場合、板状体の前部裏面に調節パッドを取り付けることで、板状体の前部が高くなって全体として後側に傾斜した状態となり、着座者が前屈み姿勢になるのを防止することができる。
【００１０】
なお、着座者を板状体の上に座らせても良いが、板状体の上にクッションを載せて、その上に着座者を座らせるようにしても良い。
【００１１】
また、請求項２記載の椅子用姿勢保持板は、板状体が複数に分割されており、各板状体は連結手段によって揺動可能に連結されている。したがって、任意の板状体のみを傾斜させることができる。例えば、着座者の臀部、左側腿部、右側腿部をそれぞれ別々に支える３枚の板状体に分割した場合には、例えば左右の腿部を支える２枚の板状体のみを傾斜させることができる。
【００１２】
また、請求項３記載の椅子用姿勢保持板は、板状体には複数のパッド取付部が設けられており、調節パッドを別のパッド取付部に付け替えるものである。したがって、調節パッドの位置を変えると、板状体の支持体から離れている部分の位置が変わり、板状体の傾斜が変化する。
【００１３】
また、請求項４記載の椅子用姿勢保持板は、板状体には複数のパッド取付部が設けられており、板状体に複数の調節パッドを取り付けるものである。したがって、調節パッドの取付個数を変えることができる。調節パッドの取付個数を変えると板状体の傾斜も変わる。
【００１４】
また、請求項５記載の椅子用姿勢保持板は、調節パッドの裏面に別の調節パッドを取り外し可能に取り付けるものである。したがって、調節パッドを重ねて取り付けることができる。調節パッドを重ねるとその分だけ板状体が支持体から離れるので、板状体の傾斜を変えることができる。
【発明の効果】
【００１５】
しかして、請求項１記載の椅子用姿勢保持板では、上述のように構成されているので、調節パッドの着脱によって板状体の傾斜を調整することができる。着座者毎に最適な板状体の傾斜が異なるが、調節パッドの着脱によって板状体の傾斜を容易に調整することができるので、着座者一人一人への対応が容易であり、汎用性に優れた椅子用姿勢保持板を提供することができる。また、板状体は、布状または網状の支持体のように着座者の体を締め付けるように大きく撓むことがないので、体圧を極端に集中させることがなく、床擦れ防止を図ることができる。
【００１６】
また、請求項２記載の椅子用姿勢保持板では、上述のように構成されているので、任意の板状体のみを選択的に傾斜させることができる。このため、着座者一人一人への対応がより容易になり、汎用性をより一層向上させることができる。
【００１７】
また、請求項３記載の椅子用姿勢保持板では、上述のように構成されているので、調節パッドの取付位置を変えることで板状体の傾斜を調整することができる。このため、着座者一人一人への対応がより容易になり、汎用性をより一層向上させることができる。
【００１８】
また、請求項４記載の椅子用姿勢保持板では、上述のように構成されているので、調節パッドの取付個数を変えることで板状体の傾斜を調整することができる。このため、着座者一人一人への対応がより容易になり、汎用性をより一層向上させることができる。
【００１９】
また、請求項５記載の椅子用姿勢保持板では、上述のように構成されているので、調節パッドを重ねることで板状体の傾斜を調整することができる。このため、着座者一人一人への対応がより容易になり、汎用性をより一層向上させることができる。
【発明を実施するための最良の形態】
【００２０】
以下、本発明の構成を図面に示す最良の形態に基づいて詳細に説明する。
【００２１】
図１〜図３に、本発明の椅子用姿勢保持板の第１の実施形態を示す。椅子用姿勢保持板１は、例えば折り畳み式の車椅子や折り畳み式の椅子等に採用されている布状あるいは網状の座や背もたれ等の支持体２に使用するものである。着座者が支持体２に直接腰掛けたり寄り掛かったりした場合、支持体２が体の形状に沿って大きく撓み、身体保持を不安定にすると共に身体を部分的に締め付ける。椅子用姿勢保持板１を支持体２としての座の上に装着したり、支持体２としての背もたれの前面に装着することで、支持体２が体の形状にそって大きく撓むのを防止でき、身体保持を安定化することができると共に、部分的な締め付けを抑えて体圧の分散を図り、床擦れ防止を図ることができる。椅子用姿勢保持板１は支持体２に単に載せたり（座等の場合）、単に立てかける（背もたれ等の場合）だけで固定せずに使用しても良いし、固定して使用しても良い。また、着座者が椅子用姿勢保持板１に直接腰掛けたり寄り掛かったりしても良いし、あるはい椅子用姿勢保持板１との間に図示しないクッション等を挟んで腰掛けたり寄り掛かったりも良い。なお、椅子用姿勢保持板１との間にクッション等を挟む場合、椅子用姿勢保持板１の使用によって体圧分散を図ることができるので、クッションの材料としては体圧分散機能を有する高価な低反発クッション材等を使用しなくとも、スポンジやウレタンフォーム等の安価なクッション材等を使用して十分なクッション性と体圧分散の効果は得られる。
【００２２】
布状あるいは網状の支持体２としての座に適用する椅子用姿勢保持板１を例に説明する。椅子用姿勢保持板１は、椅子のフレーム３間に張られた布状あるいは網状の支持体２の表面に配置され、着座者を支えて支持体２の撓みを抑える板状体４と、板状体４の裏面の一部に取り外し可能に取り付けられて支持体２からの距離を部分的に変える調節パッド５を備え、板状体４への調節パッド５の着脱により板状体４の傾斜を調整するものである。
【００２３】
板状体４は着座者を支えることができる剛性を有している。板状体４は複数に分割されており、各板状体は連結手段６によって揺動可能に連結されている。本実施形態では、板状体４を、臀部用板状体４ａ、左腿用板状体４ｂ、右腿用板状体４ｃの３枚に分割している。臀部用板状体４ａには、座りを良くすると共に体圧を分散させる孔１４、１５が設けられている。
【００２４】
図４に連結手段６を示す。連結手段６は、例えばゴム製のバンドで、裏面の両端部に円板状の凸部６ａが一体成形されている。各板状体４ａ〜４ｃには凸部６ａを嵌め込む孔７が設けられている。孔７の裏面側開口部分には段部７ａが形成されており、凸部６ａを弾性変形させながら孔７に表面側から挿入すると、凸部６ａが孔７を通り抜けたところで元の形状に拡がり、板状体４からの連結手段６の外れを防止することができる。ゴム製の連結手段６の両端の凸部６ａを連結する２枚の板状体４の孔７にそれぞれ嵌め込むことで、２枚の板状体４を揺動可能に連結することができる。一方の板状体４に対して他方の板状体４を真っ直ぐに折り曲げる（例えば連結手段６が２本の場合には２本の連結手段６の変形量が同じになる）ように揺動させることもできるし、捻りながら折り曲げる（例えば連結手段６が２本の場合には２本の連結手段６の変形量が相違する）ように揺動させることもできる。本実施形態では、臀部用板状体４ａに対して、左腿用板状体４ｂと右腿用板状体４ｃをそれぞれ２本ずつの連結手段６を使用して連結している。
【００２５】
なお、連結手段６はゴム製のバンドに限るものではなく、ゴム以外の材料のバンドであっても良い。また、必ずしもバンドに限るものではなく、バンド以外の連結手段であっても良い。
【００２６】
図５に調節パッド５を示す。調節パッド５は、例えばポリウレタンフォーム製のパッド材で、着座者の体重を受けている状態の板状体４を持ち上げることができる剛性と、その際ある程度弾性変形してクッションとして機能する弾性とを有している。調節パッド５の長さは腿用板状体４ｂ，４ｃの幅と同じになっている。
【００２７】
調節パッド５を板状体４に対して取り外し可能に取り付ける手段（以下、着脱手段８という）は、例えば凹凸構造を利用したもので、本実施形態では、板状体４に形成された孔８ａと、調節パッド５に設けられた凸部８ｂより構成されている。調節パッド５には、例えば３つの凸部８ｂが設けられている。また、調節パッド５の３つの凸部８ｂに対応して、板状体４には３つの孔８ａが設けられている。板状体４の３つの孔８ａは、調節パッド５を取り付けるパッド取付部９である。パッド取付部９は、腿用板状体４ｂ，４ｃについては例えば５箇所に、臀部用板状体４ａについては例えば４箇所に設けられている。このように板状体４に複数のパッド取付部９を設けることで、調節パッド５を別のパッド取付部９に付け替えて位置をずらすことができると共に、複数の調節パッド５を同時に取り付けることもできる。
【００２８】
なお、着脱手段８としての孔８ａは、板状体４が厚い場合等には貫通した孔でなくても良い。即ち窪みでも良い。また、１つの調節パッド５に設ける凸部８ｂの数は３つに限るものではなく、１つでも良く、２つでも良く、４つ以上でも良い。なお、孔８ａの数を凸部８ｂの数に対応させることは勿論である。さらに、調節パッド５に孔８ａを設け、板状体４に凸部８ｂを設けても良い。
【００２９】
調節パッド５の裏面には、板状体４に設けられているパッド取付部９と同じパッド取付部９が設けられており、調節パッド５の裏面に別の調節パッド５を取り外し可能に取り付けることができる。
【００３０】
次に、板状体４の傾斜の調整について説明する。図３に示すように、板状体４の全てのパッド取付部９に調節パッド５を取り付けた場合や、図６に示すように、全てのパッド取付部９に調節パッド５を取り付けていない場合には、板状体４は傾斜していない。このため、単なる板材を支持体２である座に載せて腰掛ける場合と同様に使用することができる。
【００３１】
そして、板状体４の一部のパッド取付部９に調節パッド５を取り付けると、調節パッド５によって板状体４が部分的に持ち上げられるので、板状体４を傾斜させることができる。例えば図７に示すように、左右の腿用板状体４ｂ，４ｃの一番前のパッド取付部９のみに調節パッド５を取り付けた場合には、左右の腿用板状体４ｂ，４ｃを後方に向けて傾斜させることができる。また、調節パッド５を別のパッド取付部９に付け替えることで、左右の腿用板状体４ｂ，４ｃの傾斜角度を変えることができる。例えば図８に示すように、調節パッド５を１つ後のパッド取付部９に付け替えることで、左右の腿用板状体４ｂ，４ｃの傾斜角度を若干増加させて微調整することができる。
【００３２】
また、調節パッド５を複数取り付けても良い。例えば図９に示すように、左右の腿用板状体４ｂ，４ｃの一番前のパッド取付部９と２番目のパッド取付部９に調節パッド５を取り付けることができる。このようにすることで、左右の腿用板状体４ｂ，４ｃの傾斜角度を変化させることができる。
【００３３】
また、全てのパッド取付部９に調節パッド５を取り付けている場合、その一部の調節パッド５を別の調節パッド５の裏面に取り付けても良い。例えば図１０に示すように、左右の腿用板状体４ｂ，４ｃの一番後の調節パッド５を一番前の調節パッド５の裏面に取り付けても良く、更には、例えば図１１に示すように、後から２番目の調節パッド５を前から２番目の調節パッド５の裏面に取り付けても良い。これらの場合にも、左右の腿用板状体４ｂ，４ｃの傾斜角度を微調整することができる。
【００３４】
なお、調節パッド５を重ねる段数は、図７に示す１段や、図１０に示す２段に限るものではなく、３段以上重ねても良い。重ねる段数を増やすことで、左右の腿用板状体４ｂ，４ｃをより大きく傾斜させることができる。
【００３５】
このように調節パッド５の取付位置や取付個数、取り付け段数を様々に変えることで、左右の腿用板状体４ｂ，４ｃの傾斜角度をきめ細かく調整することができる。このため、腿用板状体４ｂ，４ｃの傾斜角度を着座者一人一人に適したものにするのが容易であり、汎用性に優れた椅子用姿勢保持板１を提供することができる。なお、左右の腿用板状体４ｂ，４ｃについて調節パッド５の取付位置等を相違させて左右の腿用板状体４ｂ，４ｃの傾斜角度を別々にしても良い。また、臀部用板状体４ａの傾斜を調整しても良い。
【００３６】
また、図７、図８のように取り外した調節パッド５を別のパッド取付部９に付け替えたり、図３、図１０のように取り外した調節パッド５を他の調節パッド５に重ねて取り付けておくことで、調節パッド５の紛失を防止することができる。
【００３７】
傾斜をつけた板状体４の上に座ることで、たとえ着座者が自分の力だけでは座った姿勢を保てない者であったとしても、その姿勢を維持するのが容易になる。
【００３８】
なお、板状体４と調節パッド５とを異なる色に塗り分けても良い。塗り分けによって椅子用姿勢保持板１のデザインを例えば明るいイメージにすることで、暗いイメージの車椅子を明るい気分で使用することができるようになる。塗り分けとしては、例えば板状体４を明るい色（例えば明るい緑、ピンク等のパステルカラー等）に着色し、調節パッド５や連結手段６を黒色に着色することが考えられる。
【００３９】
図１２、図１３に、本発明の椅子用姿勢保持板１の第２の実施形態を示す。第１の実施形態と同様、布状あるいは網状の支持体２としての座に適用する場合を例に説明する。
【００４０】
板状体４は着座者を支える芯材としての剛性を有している。板状体４は、例えば臀部用板状体４ａ、左腿用板状体４ｂ、右腿用板状体４ｃの３枚に分割されており、これらは連結手段６によって揺動可能に連結されている。臀部用板状体４ａには、クッション材１０が固着されている。連結手段６は、例えば布製のバンドで、両端を板状体４に固定することで２枚の板状体４を揺動可能に連結することができる。本実施形態では、臀部用板状体４ａに対して、左腿用板状体４ｂと右腿用板状体４ｃをそれぞれ２本の連結手段６を使用して連結している。板状体４は、クッション材１６、１６と重ねて袋状のカバー１１内に収容されている。
【００４１】
なお、連結手段６は布製のバンドに限るものではなく、布以外の材料のバンドであっても良い。また、必ずしもバンドに限るものではなく、バンド以外の連結手段であっても良い。また、クッション材１６としては、スポンジやウレタンフォーム等の安価なクッション材等を使用することができる。即ち、体圧分散機能を有する高価な低反発クッション材等を使用せずに安価なクッション材等を使用しても、椅子用姿勢保持板１の使用によって体圧分散を良好に行うことができると共にクッション性を確保することができる。
【００４２】
調節パッド５は、例えばポリウレタンフォーム製のパッド材で、着座者の体重を受けている状態の板状体４を持ち上げることができる剛性と、その際ある程度弾性変形してクッションとして機能する弾性とを有している。調節パッド５は、例えば４個を１組にしてカバー１２内に収容されている。カバー１２内において調節パッド５は若干の距離をあけて並べられている。カバー１２の表側の部材と裏側の部材は各調節パッド５の間で縫い合わせられており、調節パット５の収容空間を個室にしてカバー１２内での調節パッド５のずれを防止すると共に、カバー１２を折り曲げて調節パッド５を重ねることができるようになっている（図１６、図１７）。このように構成された調節パッド５の組み（以下、パッド組み１３という）は例えば２つ設けられており、袋状カバー１１の裏面の左右に取り外し可能に取り付けられている。即ち、調節パット５の板状体４への取り付けは、図１に示す椅子用姿勢保持板１のように直接的なものであっても良く、本実施形態のようにカバー１１、１２を介した間接的なものであっても良い。
【００４３】
パッド組み１３を袋状カバー１１に取り外し可能に取り付ける着脱手段８は、例えば面ファスナである。本実施形態では、雄側の面ファスナ８ｃを袋状カバー１１の裏面と、カバー１２の下面の前（図１４（ｂ）において左）から１番目と３番目の調節パッド５の位置と、カバー１２の上面の前（図１４（ａ）において左）から３番目の調節パッド５の位置に固着し、雌側の面ファスナ８ｄをカバー１２の下面の前から２番目と４番目の調節パッド５の位置と、カバー１２の上面の前から１番目と２番目と４番目の調節パッド５の位置に固着している。
【００４４】
次に、板状体４の傾斜の調整について説明する。図１５に示すように、板状体４にパッド組み１３を取り付けていない場合には、板状体４は傾斜していない。このため、単なる板材を支持体２である座に載せて腰掛ける場合と同様に使用することができる。
【００４５】
そして、図１３に示すように、袋状カバー１１の裏面に左右のパッド組み１３を取り付ける（１段重ね）と、パッド組み１３によって板状体４の前部が部分的に持ち上げられるので、板状体４が傾斜する。このとき、パッド組み１３の前後方向の長さは腿用板状体４ｂ，４ｃの前後方向の長さよりも若干（調節パッド５の１個分程度）長いので、左右の腿用板状体４ｂ，４ｃに加えて臀部用板状体４ａも持ち上げることになり、板状体４全体を後方に向けて傾斜させることができる。
【００４６】
この状態から、図１６に示すように、左右のパッド組み１３を前から２番目の調節パッド５と３番目の調節パッド５の間で折り曲げ、前から４番目の調節パッド５を１番目の調節パッド５の下に、３番目の調節パッド５を２番目の調節パッド５の下に重ねる（２段重ね）と、即ち１番目と２番目の調節パット５の裏面に４番目と３番目の調節パット５を取り付けると、板状体４をさらに傾斜させることができる。このとき、パッド組み１３の前後方向の長さは腿用板状体４ｂ，４ｃの前後方向の長さよりも短くなるので、パッド組み１３は腿用板状体４ｂ，４ｃのみを持ち上げることになり、臀部用板状体４ａに対して腿用板状体４ｂ，４ｃを揺動させて腿用板状体４ｂ，４ｃのみを大きく傾斜させることができる。この状態では、パッド組み１３のカバー１２の下面の面ファスナは、前から１番目の調節パッド５の位置の雄側面ファスナ８ｃと４番目の調節パッド５の位置の雌側面ファスナ８ｄとが着き、２番目の調節パッド５の位置の雌側面ファスナ８ｄと３番目の調節パッド５の位置の雄側面ファスナ８ｃとが着いている。
【００４７】
さらにこの状態から、図１７に示すように、パッド組み１３を前から４番目の調節パッド５と３番目の調節パッド５の間で折り曲げ、前から４番目の調節パッド５を３番目の調節パッド５の下に重ねる（３段重ね）と、即ち２番目の調節パット５の裏面に３番目の調節パット５を、３番目の調節パット５の裏面に４番目の調節パット５をそれぞれ取り付けると、腿用板状体４ｂ，４ｃの前部をさらに高く持ち上げることができるので、腿用板状体４ｂ，４ｃをさらに傾斜させることができる。この状態では、パッド組み１３のカバー１２の上面の面ファスナは、前から３番目の調節パッド５の位置の雄側面ファスナ８ｃと４番目の調節パッド５の位置の雌側面ファスナ８ｄとが着いている。
【００４８】
このようにパッド組み１３を折り曲げて調節パッド５を重ねる段数を変えることで、板状体４の傾斜角度を調整することができる。このため、板状体４の傾斜角度を着座者一人一人に適したものにするのが容易であり、汎用性に優れた椅子用姿勢保持板１を提供することができる。なお、左右の腿用板状体４ｂ，４ｃについてパッド組み１３を折り曲げて重ねる段数を相違させて左右の腿用板状体４ｂ，４ｃの傾斜角度を別々にしても良いことは図１の椅子用姿勢保持板１と同様である。また、左右の腿用板状体４ｂ，４ｃのうち、片方のみにパッド組み１３を取り付けて左右の腿用板状体４ｂ，４ｃの傾斜角度を別々にしても良いことは図１の椅子用姿勢保持板１と同様である。
【００４９】
なお、パッド組み１３の前端又は後端を袋状カバー１１に固定しても良い。パッド組み１３を袋状カバー１１に固定することで、パッド組み１３の紛失を防止することができる。
【００５０】
また、パッド組み１３を折り曲げる順番は上述の順番に限るものではない。
【００５１】
さらに、４つの調節パット５でパッド組み１３を構成したが、パッド組み１３を構成する調節パット５の数は４つに限るものではなく、２つ、３つ、５つ以上であっても良い。また、パッド組み１３とせずに、調節パット５を１つずつ個別に取りつけるようにしても良い。
【００５２】
なお、上述の形態は本発明の好適な形態の一例ではあるがこれに限定されるものではなく本発明の要旨を逸脱しない範囲において種々変形実施可能である。例えば上述の説明では、支持体２が座であったが、座以外の支持体、例えば背もたれ等であっても良い。なお、支持体２が背もたれである場合の例を図１８に示す。背もたれに使用する場合は、板状体４は例えば上側板状体４ｆと下側板状体４ｇとに分割されている。
【００５３】
また、上述の説明では、調節パッド５をその左右方向が長くなるように、即ち横向きに取り付けていたが、調節パッド５を取り付ける向きは横向きに限るものではない。例えば、座については前後方向が長くなるように、背もたれについては上下方向が長くなるように、即ち縦向きに取りつけても良い。また、例えば図１９に示すように、調節パッド５を横向きと縦向きの両方に取り付けることができるようにしても良い。さらに、調節パット５を横向きと縦向きの間の斜め向きに取り付けても良い。
【００５４】
また、上述の説明では、板状体４を３枚に分割していたが、２枚又は４枚以上に分割しても良い。また、板状体４を分割せず、１枚のものとしても良い。
【００５５】
また、板状体４を載せても支持体２が撓む場合には、例えば図２０に示すように、撓むことで生じる空間を調節パッド５によって埋めるようにしても良い。
【図面の簡単な説明】
【００５６】
【図１】本発明の椅子用姿勢保持板の第１の実施形態を示し、支持体として座に適用した場合の平面図である。
【図２】図１のＩＩ−ＩＩ線に沿う断面図（横断面図）である。
【図３】図１のＩＩＩ−ＩＩＩ線に沿う断面図（縦断面図）である。
【図４】図１の連結手段を示し、（ａ）は腿用板状体が傾斜していない状態の断面図、（ｂ）は腿用板状体が傾斜している状態の断面図である。
【図５】図１の調節パッドを示し、（ａ）はその平面図、（ｂ）は（ａ）のｂ−ｂ線に沿う断面図である。
【図６】調節パッドを取り外した状態の椅子用姿勢保持板の縦断面図である。
【図７】調節パッドを前から１番目のパッド取付部に取り付けた状態の椅子用姿勢保持板の縦断面図である。
【図８】調節パッドを前から２番目のパッド取付部に取り付けた状態の椅子用姿勢保持板の縦断面図である。
【図９】調節パッドを前から１番目と２番目のパッド取付部に取り付けた状態の椅子用姿勢保持板の縦断面図である。
【図１０】前から１番目のパッド取付部に調節パッドを２段重ねした状態の椅子用姿勢保持板の縦断面図である。
【図１１】前から１番目と２番目のパッド取付部に調節パッドを２段重ねした状態の椅子用姿勢保持板の縦断面図である。
【図１２】本発明の椅子用姿勢保持板の第２の実施形態を示し、支持体として座に適用した場合の分解斜視図である。
【図１３】図１２の椅子用姿勢保持板を示し、パッド組みを１段に取り付けている状態の側面図である。
【図１４】図１２の椅子用姿勢保持板のパッド組みを示し、（ａ）はその平面図、（ｂ）はその底面図である。
【図１５】図１２の椅子用姿勢保持板を示し、パッド組みを取り外した状態の側面図である。
【図１６】図１２の椅子用姿勢保持板を示し、パッド組みを２段重ねした状態の側面図である。
【図１７】図１２の椅子用姿勢保持板を示し、パッド組みを３段重ねした状態の側面図である。
【図１８】本発明の椅子用姿勢保持板の第３の実施形態を示し、支持体として背もたれに適用した場合の正面図である。
【図１９】本発明の椅子用姿勢保持板の第４の実施形態を示し、支持体として座に適用した場合の腿用板状体を示す底面図である。
【図２０】本発明の椅子用姿勢保持板の第５の実施形態を示し、支持体として座に適用した場合の正面図である。
【図２１】従来の車椅子用の座布団を示す縦断面図である。
【図２２】従来の折り畳み式の車椅子を示し、（ａ）は使用状態の背面図、（ｂ）は折り畳んだ状態の背面図である。
【符号の説明】
【００５７】
１  椅子用姿勢保持板
３  椅子のフレーム
２  支持体
４  板状体
５  調節パッド
６  連結手段
９  パッド取付部
【図１】
2006095168.tif 000003
【図２】
2006095168.tif 000004
【図３】
2006095168.tif 000005
【図４】
2006095168.tif 000006
【図５】
2006095168.tif 000007
【図６】
2006095168.tif 000008
【図７】
2006095168.tif 000009
【図８】
2006095168.tif 000010
【図９】
2006095168.tif 000011
【図１０】
2006095168.tif 000012
【図１１】
2006095168.tif 000013
【図１２】
2006095168.tif 000014
【図１３】
2006095168.tif 000015
【図１４】
2006095168.tif 000016
【図１５】
2006095168.tif 000017
【図１６】
2006095168.tif 000018
【図１７】
2006095168.tif 000019
【図１８】
2006095168.tif 000020
【図１９】
2006095168.tif 000021
【図２０】
2006095168.tif 000022
【図２１】
2006095168.tif 000023
【図２２】
2006095168.tif 000024